(57)【要約】【課題】  軸流送風機を用いる車両用シート空調装置において、吹出風量の増加および送風騒音の抑制を図る。【解決手段】  軸流式の送風ファン２７と送風ケーシング２６とから構成される軸流送風機１４を備え、車両用シートの部材２４、１９に形成される多数の微小通路部２４ａ、２０を通して空調風をシート表面に吹き出すようになっており、送風ケーシング２６の取付ブラケット２９に円錐状送風ダクト部２９ｂを一体成形し、また、車両用シート内部に配置されるクッション部材２５に円錐状送風穴部２５ａを形成し、円錐状送風ダクト部２９ｂと円錐状送風穴部２５ａとにより円錐状送風通路を形成する。【選択図】        図２
2005034345.tif 000002
【特許請求の範囲】
【請求項１】
車両用シート（１０）側の部材（１９、２４）に形成される多数の微小通路部（２０、２４ａ）を通して空調風を吹き出す車両用シート空調装置であって、
前記空調風を送風する送風手段として、軸流式の送風ファン（２７）と、前記送風ファン（２７）を収容し回転可能に支持する送風ケーシング（２６）とから構成される軸流送風機（１４）を備え、
前記軸流送風機（１４）の吹出側に前記微小通路部（２０、２４ａ）に向かって断面積を円錐状に拡大する円錐状送風通路（２５ａ、２９ｂ）を形成することを特徴とする車両用シート空調装置。
【請求項２】
前記送風ケーシング（２６）を前記車両用シート（１０）側に取り付ける取付ブラケット（２９）を備え、
前記取付ブラケット（２９）に前記円錐状送風通路を構成する円錐状送風ダクト部（２９ｂ）が一体成形されていることを特徴とする請求項１に記載の車両用シート空調装置。
【請求項３】
前記車両用シート（１０）の内部に配置されるクッション部材（２５）に前記円錐状送風通路を構成する円錐状送風穴部（２５ａ）が形成されていることを特徴とする請求項１に記載の車両用シート空調装置。
【請求項４】
前記送風ケーシング（２６）を前記車両用シート（１０）側に取り付ける取付ブラケット（２９）を備え、
前記取付ブラケット（２９）に円錐状送風ダクト部（２９ｂ）が一体成形され、
また、前記車両用シート（１０）の内部に配置されるクッション部材（２５）に円錐状送風穴部（２５ａ）が形成され、
前記円錐状送風ダクト部（２９ｂ）の出口側が前記円錐状送風穴部（２５ａ）の入口側に接続され、
前記円錐状送風ダクト部（２９ｂ）と前記円錐状送風穴部（２５ａ）とにより前記円錐状送風通路を構成することを特徴とする請求項１に記載の車両用シート空調装置。
【請求項５】
前記円錐状送風穴部（２５ａ）は前記クッション部材（２５）の厚さ方向全長にわたって円錐状になっており、
前記円錐状送風ダクト部（２９ｂ）は前記円錐状送風穴部（２５ａ）内に挿入されていることを特徴とする請求項４に記載の車両用シート空調装置。
【請求項６】
前記円錐状送風穴部（２５ａ）は、前記クッション部材（２５）の厚さ方向のうち前記空調風の出口側部位に形成され、
前記クッション部材（２５）の厚さ方向のうち前記円錐状送風穴部（２５ａ）の入口側部位には円筒状穴部（２５ｃ）が形成され、
前記円筒状穴部（２５ｃ）は、前記円錐状送風ダクト部（２９ｂ）の最大外径付近の内径を有し、
前記円錐状送風穴部（２５ａ）は、前記円筒状穴部（２５ｃ）の内径を起点として断面積を次第に拡大する円錐状になっており、
前記円錐状送風ダクト部（２９ｂ）は前記円筒状穴部（２５ｃ）内に挿入されていることを特徴とする請求項４に記載の車両用シート空調装置。
【請求項７】
前記送風ケーシング（２６）を前記車両用シート（１０）側に取り付ける取付ブラケット（２９）を備え、
前記取付ブラケット（２９）に、前記円錐状送風通路を構成する円錐状ダクト部（２９ｂ−１）が一体成形され、
前記車両用シート（１０）の内部に配置されるクッション部材（２５）に前記円錐状ダクト部（２９ｂ−１）の外周面が嵌合される円筒状穴部（２５ｃ）が形成され、
前記空調風が前記円錐状ダクト部（２９ｂ−１）および前記円筒状穴部（２５ｃ）を通過して前記微小通路部（２０、２４ａ）に向かうようになっていることを特徴とする請求項１に記載の車両用シート空調装置。
【請求項８】
前記クッション部材（２５）に前記穴部（２５ａ）を複数領域に区画する支持面（２５ｂ）を一体成形することを特徴とする請求項３ないし７のいずれか１つに記載の車両用シート空調装置。
【請求項９】
前記送風ケーシング（２６）の吹出側部位に、下流に向かって断面積が円錐状に拡大する円錐状部（２６ｇ）を形成し、
前記円錐状部（２６ｇ）を前記円錐状送風通路（２５ａ、２９ｂ）の入口側に接続することを特徴とする請求項１ないし８のいずれか１つに記載の車両用シート空調装置。
【請求項１０】
前記送風ケーシング（２６）の吸い込み側部位に、上流に向かって断面積が円錐状に拡大する円錐状部（２６ｆ）を形成することを特徴とする請求項１ないし９のいずれか１つに記載の車両用シート空調装置。
【発明の詳細な説明】
【技術分野】
【０００１】
本発明は、軸流送風機を用いる車両用シート空調装置に関する。
【背景技術】
【０００２】
従来、車両用シートのクッション部材に空気通路を構成する円筒状の貫通穴を設け、この円筒状の貫通穴内部に送風機を配置し、この送風機により空調風を車両用シートの表皮部材の微小通路部を通してシート表面側へ送風する車両用シート空調装置が知られている（特許文献１参照）。
【０００３】
この従来技術では、送風機の種類について明記していないが、その図１には、送風機の送風ファン（羽根）が軸流ファンであることが図示され、この送風ファンが円筒状の送風ケーシング内に配置されている。
【特許文献１】特開２０００−１１６４６２号公報
【発明の開示】
【発明が解決しようとする課題】
【０００４】
ところで、車両用シート空調装置では、車両用シート側の部材である表皮部材および表皮部材内側に位置する多孔質弾性部材に多数の微小通路部を形成し、この微小通路部を通して空調風を表皮部材の表面側へ送風するので、送風通路の圧損がどうしても高くなってしまう。
【０００５】
一方、送風手段として軸流送風機を使用すると送風機の体格を遠心送風機に比較して薄型化（ファン軸方向寸法の短縮）できるが、その反面、軸流送風機は遠心送風機に比較して送風圧力が大幅に低い特性になっているので、送風通路の圧損が非常に高い車両用シート空調装置において軸流送風機を使用すると風量不足を招き、不利である。
【０００６】
特に、特許文献１の従来技術では、円筒状の送風ケーシング内に軸流式送風ファンを配置し、円筒状の送風ケーシングの出口部を多孔質弾性部材の面に直接対向配置しているので、送風ケーシングの出口部から出た送風空気が直ちに多孔質弾性部材の面に吹き付けられることになる。
【０００７】
この結果、送風ケーシングの出口部に渦流等による空気流れの乱れが発生し、これが原因となって送風騒音が発生するとともに、吹出風量をより一層減少させる。
【０００８】
本発明は上記点に鑑みて、軸流送風機を用いて、車両用シート側の微小通路部を通して空調風を吹き出す車両用シート空調装置において、吹出風量の増加および送風騒音の抑制を図ることを目的とする。
【課題を解決するための手段】
【０００９】
上記目的を達成するため、請求項１に記載の発明では、車両用シート（１０）側の多数の微小通路部（２０、２４ａ）を通して空調風を送風する送風手段として、軸流式の送風ファン（２７）と、送風ファン（２７）を収容し回転可能に支持する送風ケーシング（２６）とから構成される軸流送風機（１４）を備え、
軸流送風機（１４）の吹出側に微小通路部（２０、２４ａ）に向かって断面積を円錐状に拡大する円錐状送風通路（２５ａ、２９ｂ）を形成することを特徴とする。
【００１０】
これにより、軸流式の送風ファン（２７）の吹出空気を円錐状送風通路（２５ａ、２９ｂ）に沿って微小通路部（２０、２４ａ）に向かってスムースに流すことができる。そのため、軸流式送風ファンの吹出側における渦流等による空気流れの乱れを防止して送風騒音を抑制できるとともに吹出風量を増加できる。
【００１１】
請求項２に記載の発明では、請求項１において、送風ケーシング（２６）を車両用シート（１０）側に取り付ける取付ブラケット（２９）を備え、取付ブラケット（２９）に円錐状送風通路を構成する円錐状送風ダクト部（２９ｂ）が一体成形されていることを特徴とする。
【００１２】
これにより、取付ブラケット（２９）に一体成形した円錐状送風ダクト部（２９ｂ）を用いて円錐状送風通路を構成できる。
【００１３】
請求項３に記載の発明のように、請求項１において、車両用シート（１０）の内部に配置されるクッション部材（２５）に円錐状送風穴部（２５ａ）を形成し、この円錐状送風穴部（２５ａ）により円錐状送風通路を構成してもよい。
【００１４】
請求項４に記載の発明のように、請求項１において、送風ケーシング（２６）を車両用シート（１０）側に取り付ける取付ブラケット（２９）を備え、取付ブラケット（２９）に円錐状送風ダクト部（２９ｂ）が一体成形され、また、車両用シート（１０）の内部に配置されるクッション部材（２５）に円錐状送風穴部（２５ａ）が形成され、円錐状送風ダクト部（２９ｂ）の出口側が円錐状送風穴部（２５ａ）の入口側に接続され、円錐状送風ダクト部（２９ｂ）と円錐状送風穴部（２５ａ）とにより円錐状送風通路を構成するようにしてもよい。
【００１５】
請求項５に記載の発明のように、請求項４において、円錐状送風穴部（２５ａ）をクッション部材（２５）の厚さ方向全長にわたって円錐状に形成し、円錐状送風ダクト部（２９ｂ）を円錐状送風穴部（２５ａ）内に挿入する構成にしてもよい。
【００１６】
請求項６に記載の発明では、請求項４において、円錐状送風穴部（２５ａ）は、クッション部材（２５）の厚さ方向のうち空調風の出口側部位に形成され、クッション部材（２５）の厚さ方向のうち円錐状送風穴部（２５ａ）の入口側部位には円筒状穴部（２５ｃ）が形成され、
円筒状穴部（２５ｃ）は、円錐状送風ダクト部（２９ｂ）の最大外径付近の内径を有し、円錐状送風穴部（２５ａ）は、円筒状穴部（２５ｃ）の内径を起点として断面積を次第に拡大する円錐状になっており、円錐状送風ダクト部（２９ｂ）は円筒状穴部（２５ｃ）内に挿入されていることを特徴とする。
【００１７】
これによると、クッション部材（２５）の円錐状送風穴部（２５ａ）の入口側に、円錐状送風ダクト部（２９ｂ）の最大外径付近の内径を有する円筒状穴部（２５ｃ）を形成しているので、この円筒状穴部（２５ｃ）内に円錐状送風ダクト部（２９ｂ）を容易に挿入でき、組み付け作業性を向上できる。、
請求項７に記載の発明のように、請求項１において、送風ケーシング（２６）を車両用シート（１０）側に取り付ける取付ブラケット（２９）を備え、取付ブラケット（２９）に、円錐状送風通路を構成する円錐状ダクト部（２９ｂ−１）が一体成形され、車両用シート（１０）の内部に配置されるクッション部材（２５）に円錐状ダクト部（２９ｂ−１）の外周面が嵌合される円筒状穴部（２５ｃ）が形成され、空調風が円錐状ダクト部（２９ｂ−１）および円筒状穴部（２５ｃ）を通過して微小通路部（２０、２４ａ）に向かうようにしてもよい。
【００１８】
請求項８に記載の発明では、請求項３ないし７のいずれか１つにおいて、クッション部材（２５）に穴部（２５ａ）を複数領域に区画する支持面（２５ｂ）を一体成形することを特徴とする。
【００１９】
ところで、軸流送風機（１４）の吹出側に断面積を円錐状に拡大する円錐状送風通路（２５ａ、２９ｂ）を形成すると、これに伴って、クッション部材（２５）の穴部（２５ａ）の径寸法が増大する。これにより、乗員着座時の押圧力にてシート表皮部材（１９）等がクッション部材（２５）の穴部（２５ａ）内に凹状に凹むという現象が発生して、座り心地の悪化が懸念されるが、請求項８によれば、穴部（２５ａ）を複数領域に区画する支持面（２５ｂ）によってシート表皮部材（１９）等を支持して、シート表皮部材（１９）等の凹みを抑制して座り心地の悪化を抑制できる。
【００２０】
請求項９に記載の発明では、請求項１ないし８のいずれか１つにおいて、送風ケーシング（２６）の吹出側部位に、下流に向かって断面積が円錐状に拡大する円錐状部（２６ｇ）を形成し、この円錐状部（２６ｇ）を円錐状送風通路（２５ａ、２９ｂ）の入口側に接続することを特徴とする。
【００２１】
これにより、送風ケーシング（２６）の吹出側から円錐状送風通路（２５ａ、２９ｂ）に向かってスムースに空気を流すことができる。
【００２２】
請求項１０に記載の発明では、請求項１ないし９のいずれか１つにおいて、送風ケーシング（２６）の吸い込み側部位に、上流に向かって断面積が円錐状に拡大する円錐状部（２６ｆ）を形成することを特徴とする。
【００２３】
これにより、送風ケーシング（２６）の吸い込み側においても空気をスムースに吸い込むことができ、送風騒音の抑制および吹出風量の増加をより一層図ることができる。
【００２４】
なお、上記各手段の括弧内の符号は、後述する実施形態に記載の具体的手段との対応関係を示すものである。
【００２５】
これにより、
なお、上記各手段の括弧内の符号は、後述する実施形態に記載の具体的手段との対応関係を示すものである。
【発明を実施するための最良の形態】
【００２６】
（第１実施形態）
図１は第１実施形態による車両用シート空調装置の概要を示すもので、車両用シート１０は具体的には運転席あるいは助手席のシートとして使用されるものである。
【００２７】
車両用シート１０には、乗員の尻部を支持するシートクッション部１１と、乗員の背中部を支持するシート背もたれ部（シートバック部）１２が備えられている。シートクッション部１１の内部およびシート背もたれ部１２の内部にはそれぞれ、送風機１３、送風機１４が内蔵されている。
【００２８】
シートクッション部１１では送風機１３の下方部に空気吸入口（図示せず）を配置し、この空気吸入口から車室内空気を送風機１３の作動により吸入し、そして、この吸入空気をシートクッション部１１の内部の送風通路１５を通してシートクッション部１１の表皮部材１６に送風する。これにより、表皮部材１６に開口している多数の微小な小穴等により形成される微小通路部（吹出開口部）１７から空気（空調風）を矢印ａのようにシート表面に向けて吹き出すようになっている。
【００２９】
また、送風機１４も同様の空気送風機能を果たすものであり、シート背もたれ部１２のうち下部側の部位に空気吸入口３８（後述の図２参照）を配置し、この空気吸入口３８から車室内空気を送風機１４の作動により吸入する。そして、シート背もたれ部１２の内部の送風通路１８を通して空気をシート背もたれ部１２の表皮部材１９に送風する。これにより、表皮部材１９に開口している多数の微小な小穴等により形成される微小通路部２０から空気（空調風）を矢印ｂのようにシート表面に向けて吹き出すようになっている。
【００３０】
なお、室内空調ユニット部２１は車室内前部の計器盤（インストルメントパネル、図示せず）内側等に設置され、この室内空調ユニット部２１から吹き出す空調風により車室内が空調される。従って、第１、第２送風機１３、１４は車室内の空調された空気を送風することができる。
【００３１】
また、シートクッション部１１およびシート背もたれ部１２において、各表皮部材１６、１９の裏側にそれぞれ電気ヒータ２２、２３が配置してある。この電気ヒータ２２、２３はワイヤー状の電気抵抗体から構成され、シートクッション部１１およびシート背もたれ部１２の乗員当たり面の広い範囲にわたって蛇行状に配置されている。従って、冬期の暖房時には、この電気ヒータ２２、２３に通電することにより電気ヒータ２２、２３の発生熱で送風空気を加熱し、その加熱後の空気（温風）を表皮部材１６、１９の微小通路部１７、２０から吹き出すことができる。
【００３２】
なお、本実施形態ではシートクッション部１１の送風機１３を遠心式送風ファンを用いた遠心送風機とし、これに対し、シート背もたれ部１２の送風機１４は軸流式送風ファンを用いた軸流送風機としている。本実施形態はシート背もたれ部１２の軸流送風機１４側の送風通路構造を特徴としているので、以下、シート背もたれ部１２の軸流送風機１４の送風通路構造を図２〜図５により具体的に説明する。
【００３３】
図２はシート背もたれ部１２の側面断面図であり、図３は送風機１４の搭載（支持）構造を示す斜視図で、図４（ａ）は送風機１４の吹出側（車両前方側）から見た正面図で、図４（ｂ）は図４（ａ）のＡ−Ａ断面図である。図５はシート背もたれ部１２の正面図である。なお、図２、３における前後、上下、左右の各矢印は車両搭載状態での方向を示している。
【００３４】
図２に示すように、シート背もたれ部１２は表皮部材１９の裏側（内側）に多孔質弾性部材２４とクッション部材２５とを積層配置している。これらの各部材１９、２４、２５は、いずれも弾性的に伸縮可能な材質からなる。特に、クッション部材２５は表皮部材１９および多孔質弾性部材２４に比較して十分大きな厚み寸法が設定され、シート背もたれ部１２のクッション作用を主に発揮する役割を果たす。
【００３５】
一方、表皮部材１９は通常、シート意匠を考慮して革またはファブリック（編織物の総称）で構成される。表皮部材１９を革製とする場合は微小径（例えば、０．８〜１ｍｍ程度）の小穴を多数開けて微小通路部２０を形成する。これに対し、表皮部材１９をファブリックで構成する場合は、ファブリックに元々繊維相互間の隙間が存在する。そのため、この隙間により通気性が得られ微小通路部２０を形成できるので、穴開けの必要はない。なお、表皮部材１６も表皮部材１９と同一構成である。
【００３６】
また、多孔質弾性部材２４とクッション部材２５は具体的には発泡ポリウレタン等の弾性樹脂材からなる。多孔質弾性部材２４は空気の通過可能な微小通路部２４ａを樹脂の発泡構造により構成して通気性を確保するようになっている。これに対し、クッション部材２５にはその厚み方向に貫通する円錐状送風穴部２５ａが設けてあるので、クッション部材２５は通気性のない発泡樹脂により構成してよい。
【００３７】
円錐状送風穴部２５ａは、シート背もたれ部１２の軸流送風機１４の吹出側に配置され、多孔質弾性部材２４に向かって断面積が円錐状に拡大する円錐状送風通路を構成する。図５は円錐状送風穴部２５ａの先端部の最大径部をシート背もたれ部１２の正面から見た正面形状を破線図示するものであり、図５（ａ）は円錐状送風穴部２５ａの先端部の最大径部を単純な円形状とした場合である。この場合は、円錐状送風穴部２５ａの先端円形状の径寸法が拡大することに伴って、乗員着座時に、乗員背中部からの押圧力により表皮部材１９と多孔質弾性部材２４が円錐状送風穴部２５ａの先端円形状内に凹状に凹んで乗員の座り心地を悪化させる場合がある。
【００３８】
図５（ｂ）はこのような不具合を解消するための工夫であり、円錐状送風穴部２５ａを複数（図示の例では２つ）に分割する支持面２５ｂをクッション部材２５に一体成形している。この支持面２５ｂはクッション部材２５のうち多孔質弾性部材２４側の面と同一面となるように、また、円錐状送風穴部２５ａの中心部を通過するように形成される。
【００３９】
これにより、多孔質弾性部材２４のうち、円錐状送風穴部２５ａの先端部の最大径部内に位置する部位も支持面２５ｂにより支持して、表皮部材１９と多孔質弾性部材２４が円錐状送風穴部２５ａの先端円形状内に凹状に凹むことを防止できる。
【００４０】
シート背もたれ部１２の軸流送風機１４は、図３、４に示すように送風ケーシング２６内に、複数枚の羽根２７ａからなる軸流式の送風ファン２７が回転可能に配置される。この送風ファン２７は車両後方側から前方側へ空気を送風する。
【００４１】
送風ケーシング２６には、図４（ａ）に示すように外形状が概略矩形状になっている枠体部２６ａと、この枠体部２６ａの中心部に位置する円筒状のモータ支持部２６ｂと、このモータ支持部２６ｂと枠体部２６ａとの間を連結する複数（図４の例では４個）のスポーク部２６ｃと、送風ファン２７の羽根２７ａの外周先端部の周りに位置する円筒状シュラウド部２６ｄとが備えられ、これらの各部２６ａ〜２６ｄは樹脂により一体成形されている。
【００４２】
図４（ｂ）は円筒状シュラウド部２６ｄの断面形状を示すもので、円筒状シュラウド部２６ｄは空気送風方向Ｂの中央部に送風ファン２７の羽根２７ａの外周先端部に対向する最小径部２６ｅを形成している。そして、円筒状シュラウド部２６ｄの吸い込み側、すなわち、最小径部２６ｅの上流側には、上流側に向かって断面積が円錐状に拡大する円錐状部２６ｆが形成してある。
【００４３】
同様に、円筒状シュラウド部２６ｄの吹出側、すなわち、最小径部２６ｅの下流側にも、下流側に向かって断面積が円錐状に拡大する円錐状部２６ｇが形成してある。
【００４４】
なお、本実施形態では、上記各部２６ｅ〜２６ｇを有する円筒状シュラウド部２６ｄを送風ファン２７の回転方向の全周にわたって形成するために、概略矩形状になっている枠体部２６ａの上下左右の各辺の中間部では枠体部２６ａの外方へ円筒状シュラウド部２６ｄの一部が図４（ａ）に示すように円弧状に突き出す形状になっている。
【００４５】
送風ファン２７を回転駆動するモータ２８は、送風ファン２７の吹出側に配置され、円筒状のモータ支持部２６ｂの内周部に嵌合固定される。矩形状の枠体部２６ａの四隅部近傍には取付穴２６ｈが開けてある。
【００４６】
軸流送風機１４は図３に示すように取付ブラケット２９を介してシート背もたれ部１２のシートばね３０に搭載するようになっている。ここで、シートばね３０は金属製のワイヤ状のものであり、その左右両端部は、クッション部材２５の裏側にて上下方向に延びるように配置される金属製のシートバックフレーム３１に連結され、支持される。
【００４７】
更に、左右のシートバックフレーム３１の中間位置にも金属製の中間フレーム３２が上下方向に延びるように配置される。この中間フレーム３２はパイプ部材であり、ワイヤー状シートばね３０を挿通する小穴が上下方向複数開けてある。従って、ワイヤー状シートばね３０の車両左右方向の中間部位を中間フレーム３２により支持できる。
【００４８】
なお、左右のシートバックフレーム３１および中間フレーム３２の上下両端部は車両左右方向に延びるフレーム部材３３（図２）により一体に連結される。これらのシートバックフレーム３１、中間フレーム３２およびフレーム部材３３を含むフレーム構造体は、クッション部材２５の裏側（車両後方側）にて枠体状の形状で配置され、シート背もたれ部１２の形態を保持する強度（骨格）部材の役割を果たす。
【００４９】
そして、ワイヤー状シートばね３０およびシートばね支持用の上記フレーム構造体をクッション部材２５の裏側（車両後方側）に配置することにより、乗員の上半身から車両後方側への押圧力がシート背もたれ部１２に作用しても、クッション部材２５等をシートばね３０により変位可能に弾性的に支持することができる。
【００５０】
軸流送風機１４をワイヤ状のシートばね３０に搭載するための取付ブラケット２９は樹脂製の部材であり、送風ケーシング２６の矩形状の枠体部２６ａに対応する矩形状の枠体部２９ａを有している。この枠体部２９ａには円錐状送風ダクト部２９ｂが車両前方側へ向かって突出するように一体成形されている。この円錐状送風ダクト部２９ｂは、図２に示すようにクッション部材２５の円錐状送風穴部２５ａの入口側部位に挿入される。
【００５１】
ここで、送風ケーシング２６の円筒状シュラウド部２６ｄの吹出側円錐状部２６ｇと、取付ブラケット２９の円錐状送風ダクト部２９ｂと、クッション部材２５の円錐状送風穴部２５ａとの三者の円錐形状の関係は、吹出側円錐状部２６ｇから円錐状送風ダクト部２９ｂを介在して円錐状送風穴部２５ａに至る円錐形状が全体として所定の拡がり角度θによる１つの円錐形状を形成するように設定してある。ここで、拡がり角度θは送風機１４の軸線に対する角度である。
【００５２】
そして、この所定の拡がり角度θによる円錐形状は軸流式送風ファン２７の送風特性によって決定される。すなわち、軸流式送風ファン２７の吹出空気は下流側へ向かって所定の拡がり角度で持って円錐状に拡大するように流れる。そこで、上記円錐形状の拡がり角度θは、軸流式送風ファン２７の吹出空気の円錐状の拡がり角度と一致するように設定してあり、具体的には４５°程度の角度である。
【００５３】
なお、図１のシート背もたれ部１２内部の送風通路１８は、図２では多孔質弾性部材２４の微小通路部２４ａとクッション部材２５の円錐状送風穴部２５ａと取付ブラケット２９の円錐状送風ダクト部２９ｂとにより構成される。図２では図１に示した電気ヒータ２３の図示を省略しているが、電気ヒータ２３はクッション部材２５と多孔質弾性部材２４との間に配置すればよい。
【００５４】
送風ケーシング２６の枠体部２６ａと取付ブラケット２９の枠体部２９ａとの互いに対向する面には柔軟性部材３４、３５（図３）が接着等により貼り付けてある。この柔軟性部材３４、３５の具体的材質としては合成繊維の不織布からなるフェルトのような柔軟性に富み、且つ、耐摩耗性にも優れた材料が好適である。また、柔軟性部材３４、３５として、フェルトの代わりにゴム系材料を使用してもよい。また、取付ブラケット２９の枠体部２９ａには送風ケーシング２６の枠体部２６ａの取付穴２６ｈと対応する部位に同様に取付穴（図示せず）が開けてある。
【００５５】
ここで、軸流送風機１４の具体的な搭載方法を説明すると、先ず、送風ケーシング２６の枠体部２６ａの柔軟性部材３４と取付ブラケット２９の枠体部２９ａの柔軟性部材３５との間に、ワイヤ状シートばね３０を図３に示すように挟み込む。本例では車両左右方向に延びる３本のワイヤ状シートばね３０を上記両柔軟性部材３４、３５の間に挟み込む。また、このとき、シートばね３０が挿通されている中間フレーム３２も同時に上記両柔軟性部材３４、３５の間に挟み込む。
【００５６】
次に、送風ケーシング２６の枠体部２６ａの四隅部近傍の取付穴２６ｈ、および取付ブラケット２９の枠体部２９ａの四隅部近傍の取付穴（図示せず）にボルト（図示せず）を通して、送風ケーシング２６と取付ブラケット２９とを一体に締結する。これにより、軸流送風機１４全体がワイヤ状シートばね３０により車両前後方向に変位可能に支持される。上記両柔軟性部材３４、３５はシートばね３０の歪みを吸収して軸流送風機１４の振動を抑制する作用、および両枠体部２６ａ，２９ａ間の風洩れ防止の作用を果たす。
【００５７】
取付ブラケット２９の円錐状送風ダクト部２９ｂの先端部の最大外径はクッション部材２５の円錐状送風穴部２５ａの入口部の最小内径より大きいので、クッション部材２５の円錐状送風穴部２５ａの入口部を径外方側へ弾性変形させながら、取付ブラケット２９の円錐状送風ダクト部２９ｂをクッション部材２５の円錐状送風穴部２５ａ内に挿入すればよい。
【００５８】
一方、シート背もたれ部１２においてクッション部材２５の車両後方側部位にはシートバックボード３６が上下方向に延びるように配置され、このシートバックボード３６とクッション部材２５との間に空間３７が上下方向に延びるように形成されている。シートバックボード３６の下方部には物入れ用のポケット部３６ａが形成されている。
【００５９】
空間３７の上下方向の中間部位に軸流送風機１４が配置され、この軸流送風機１４の円筒状シュラウド部２６ｄの吸い込み側円錐状部２６ｆが空間３７に開口している。そして、空間３７の最下部には車室内空間に開口する空気吸入口３８が配置されている。これにより、軸流送風機１４は車室内空気を矢印Ｃのように空気吸入口３８および空間３７を通して、吸い込み側円錐状部２６ｆ内に吸入するようになっている。
【００６０】
従って、軸流送風機１４の駆動用モータ２８を作動させ、軸流式の送風ファン２７を回転駆動すると、車室内空気が空気吸入口３８から空間３７内に流入し、この空間３７から送風ケーシング２６の円筒状シュラウド部２６ｄの吸い込み側円錐状部２６ｆ内に吸い込まれる。更に、送風ファン２７の送風空気は円筒状シュラウド部２６ｄの最小径部２６ｅ、吹出側円錐状部２６ｇを通過して、取付ブラケット２９の円錐状送風ダクト部２９ｂへと流れる。
【００６１】
送風空気はこの円錐状送風ダクト部２９ｂからクッション部材２５の円錐状送風穴部２５ａ内に流入し、ここから多孔質弾性部材２４の微小通路部２４ａを通過して表皮部材１９に到達する。そして、表皮部材１９の微小通路部２０から送風空気はシート背もたれ部１２の表面側へ吹き出す。これにより、シート背もたれ部１２の表面から乗員の上半身を包み込むように送風空気（空調風）を吹き出して乗員に対して快適な空調感を付与できる。なお、シートクッション部１０においても同様に乗員の下半身を包み込むように空調風を吹き出すことができる。
【００６２】
ところで、軸流送風機１４の送風通路には表皮部材１９および多孔質弾性部材２４の微小通路部２０、２４ａが配置され、高圧損の送風通路となっている。このため、遠心送風機に比較して送風圧力が大幅に低い特性を有する軸流送風機１４を使用すると、風量の減少、送風騒音の悪化が生じて不利となるが、本実施形態では、この不利な点を次のように改良している。
【００６３】
すなわち、軸流送風機１４の吹出側に、円筒状シュラウド部２６ｄの吹出側円錐状部２６ｇと取付ブラケット２９の円錐状送風ダクト部２９ｂとクッション部材２５の円錐状送風穴部２５ａとの三者の組み合わせにより１つの円錐形状の送風通路を形成しているから、軸流ファン２７の吹出側送風通路において送風空気を円錐形状の断面積拡大形状に沿ってスムースに流すことができる。同様に、円筒状シュラウド部２６ｄの吸い込み側においても円錐状部２６ｆの形状に沿ってスムースに空気を吸い込むことができる。
【００６４】
これにより、軸流ファン２７の吹出側および吸い込み側の双方において、渦流等の空気流れの乱れを抑制して、送風騒音の悪化を良好に抑制できる。
【００６５】
また、上記のように軸流ファン２７の吹出側および吸い込み側の双方で空気をスムースに流すことができるので、クッション部材２５の円錐状送風穴部２５ａから微小通路部２４ａ、２０を通過してシート背もたれ部１２表面に吹き出す空気の風量も増加できる。
【００６６】
また、クッション部材２５に円錐状送風穴部２５ａを形成しても、図５（ｂ）に示す支持面２５ｂをクッション部材２５に形成することにより、円錐状送風穴部２５ａの形成に伴う座り心地の悪化も抑制できる。
【００６７】
なお、取付ブラケット２９の外周側の面とクッション部材２５との間にシール用パッキン２９ｃを介在することにより、送風穴部２５ａ側の吹出空気が空間３７側へ洩れ出ることを防ぐことができる。
【００６８】
（第２実施形態）
第１実施形態では、クッション部材２５の円錐状送風穴部２５ａをその軸方向全長にわたって円錐状に形成しているので、取付ブラケット２９の円錐状送風ダクト部２９ｂの先端部の最大外径はクッション部材２５の円錐状送風穴部２５ａの入口部の最小内径より大きくなる。従って、クッション部材２５の円錐状送風穴部２５ａの入口部を径外方側へ弾性変形させながら、取付ブラケット２９の円錐状送風ダクト部２９ｂをクッション部材２５の円錐状送風穴部２５ａ内に挿入する必要が生じる。
【００６９】
これに対し、第２実施形態では、図６に示すように、クッション部材２５の円錐状送風穴部２５ａの入口側部位に円筒状送風穴部２５ｃを形成し、この円筒状送風穴部２５ｃの内径を取付ブラケット２９の円錐状送風ダクト部２９ｂの先端部の最大外径付近の大きさに設定してある。そして、円錐状送風穴部２５ａはこの円筒状送風穴部２５ｃの内径を起点として断面積を次第に拡大する円錐状にしてある。
【００７０】
これにより、クッション部材２５の弾性変形を必要とすることなく、取付ブラケット２９の円錐状送風ダクト部２９ｂを円筒状送風穴部２５ｃ内に容易に挿入できる。従って、取付ブラケット２９とクッション部材２５との組み付け作業性を向上できる。
【００７１】
なお、第２実施形態において、円筒状送風穴部２５ｃの内径を円錐状送風ダクト部２９ｂの先端部の最大外径付近の大きさに設定するとは、円筒状送風穴部２５ｃの内径を円錐状送風ダクト部２９ｂの先端部の最大外径より若干量大きくすること以外に、円筒状送風穴部２５ｃの内径を円錐状送風ダクト部２９ｂの先端部の最大外径と同一ないしはこの最大外径より若干量小さくする場合も含む。
【００７２】
円筒状送風穴部２５ｃの内径が円錐状送風ダクト部２９ｂの先端部の最大外径より若干量小さくても、クッション部材２５の弾性変形量が僅少であるので、組み付け作業性の悪化がほとんど起こらず、実用上問題とならないからである。
【００７３】
第２実施形態では、取付ブラケット２９の送風ダクト部２９ｂの円錐形状の延長方向にクッション部材２５の円錐状送風穴部２５ａが連なるようになっているので、軸流送風機１４としては第１実施形態と同様の送風機能を発揮できる。
【００７４】
（第３実施形態）
第３実施形態では、図７に示すようにクッション部材２５に円筒状に形成した送風穴部２５ｃのみを設けている。すなわち、クッション部材２５に円錐状送風穴部２５ａを設けずに、クッション部材２５の送風穴部全体を円筒状にしている。
【００７５】
そして、取付ブラケット２９の送風ダクト部２９ｂには、円筒状シュラウド部２６ｄの吹出側円錐状部２６ｇに連なる円錐状部２９ｂ−１と、この円錐状部２９ｂ−１の先端部に設けられた円筒状部２９ｂ−２とを一体に形成している。ここで、円錐状部２９ｂ−１の外周面を円筒状部２９ｂ−２と同一径の円筒面にして、円錐状部２９ｂ−１と円筒状部２９ｂ−２の外周面をともにクッション部材２５の円筒状送風穴部２５ｃの内周面に嵌合配置している。
【００７６】
第３実施形態によると、軸流式送風ファン２７の吹出空気は円筒状シュラウド部２６ｄの吹出側円錐状部２６ｇと送風ダクト部２９ｂの円錐状部２９ｂ−１に沿って流れ、その後は、吹出空気がクッション部材２５の円筒状送風穴部２５ｃの内周面に沿って流れる。第３実施形態では、第１、第２実施形態に比較して軸流式送風ファン２７の吹出側の送風通路において円錐状通路部が減少するものの、軸流式送風ファン２７の吹出直後の所定領域において吹出空気の流れを円錐状部２６ｇ、２９ｂ−１によって円筒状送風穴部２５ｃに向かってスムースにガイドできる。そのため、第３実施形態においても、送風量の確保、送風騒音の抑制の点で第１、第２実施形態に近似した効果を発揮できる。
【００７７】
（他の実施形態）
なお、第１、第２実施形態では、クッション部材２５に設けられる円錐状送風穴部２５ａを、入口側の最小径部から出口側の最大径部に至るまで断面積が直線的に増加する形状にしているが、例えば、円錐状送風穴部２５ａの出口側領域を図８（ａ）のａ部に示すように断面円弧形状（断面Ｒ形状）にて断面積がより一層拡大する形状にしてもよい。同様に、図８（ｂ）に示すように円錐状送風穴部２５ａの入口側領域（拡がり角：θ１の領域）に対して、この拡がり角θ１より一段と大きい拡がり角θ２でもって広がる出口側領域（ｂ部）を設けるようにしてもよい。
【００７８】
要するに、本発明において「円錐状送風通路」という用語は、通路断面積が下流に向かって直線的に拡大するものだけでなく、通路断面積が下流に向かって曲線的に拡大したり、あるいは折れ曲げ形状でもって拡大するものも包含する。
【００７９】
また、上記の各実施形態では、いずれも、クッション部材２５の送風穴部２５ａ、２５ｃ内に挿入される円錐状送風ダクト部２９ｂを取付ブラケット２９に突出形成しているが、このように送風穴部２５ａ、２５ｃ内に挿入される円錐状送風ダクト部２９ｂを廃止し、取付ブラケット２９をクッション部材２５の車両後方側端面よりも車両後方側のみに配置される形状にすることもできる。
【００８０】
また、上記の各実施形態では、いずれも、車両用シート１０のシート背もたれ部１２側の送風手段として用いられる軸流送風機１４の送風通路形態について説明したが、車両用シート１０のシートクッション部１１の送風手段として遠心送風機１３でなく、軸流送風機を用いてもよい。この場合は、シートクッション部１１の軸流送風機に対して本発明による送風通路形態を適用すればよい。
【００８１】
また、上記の各実施形態では、送風機１３、１４がいずれも車室内空気を吸入して、シート表面から吹き出すようにしているが、送風機１３、１４の吸入口部を適宜の連結ダクトを介して室内空調ユニット２１の空調風取出口に接続し、そして、室内空調ユニット２１内にて温度調整された空調風（冷風、温風）を送風機１３、１４により吸入して、シート表面から吹き出すようにしてもよい。
【図面の簡単な説明】
【００８２】
【図１】本発明の第１実施形態による車両用シート空調装置の一部破断斜視図である。
【図２】第１実施形態によるシート背もたれ部の軸流送風機の送風通路形態を説明する側面断面図である。
【図３】第１実施形態によるシート背もたれ部の軸流送風機の搭載構造を示す斜視図である。
【図４】（ａ）は第１実施形態によるシート背もたれ部の軸流送風機を吹出側から見た正面図、（ｂ）は（ａ）のＡ−Ａ断面図である。
【図５】第１実施形態によるシート背もたれ部の正面図で、クッション部材の円錐状送風穴部の正面形状を破線図示する。
【図６】第２実施形態によるシート背もたれ部の軸流送風機の送風通路形態を説明する側面断面図である。
【図７】第３実施形態によるシート背もたれ部の軸流送風機の送風通路形態を説明する側面断面図である。
【図８】シート背もたれ部の軸流送風機の送風通路形態の変形例を示す部分断面図である。
【符号の説明】
【００８３】
１０…車両用シート、１２…シート背もたれ部、１４…軸流送風機、１９…表皮部材、
２４…多孔質弾性部材、２０、２４ａ…微小通路部、２５…クッション部材、
２５ａ…円錐状送風穴部、２６…送風ケーシング、２７…軸流式の送風ファン、
２９…取付ブラケット、２９ｂ…円錐状送風ダクト部。
【図１】
2005034345.tif 000003
【図２】
2005034345.tif 000004
【図３】
2005034345.tif 000005
【図４】
2005034345.tif 000006
【図５】
2005034345.tif 000007
【図６】
2005034345.tif 000008
【図７】
2005034345.tif 000009
【図８】
2005034345.tif 000010